(57)【特許請求の範囲】
【請求項１】
複数個の要素印判（１〜３）を接合して構成される組み合わせ印であって、
各要素印判（１〜３）は、横長角板状の印判本体（６）と、印判本体（６）の下端面に装着される印字体（７）と、印判本体（６）の接合面（５・５）に設けられて凹凸係合する連結体（８・９）とを備えており、
印字体（７）が、印判本体（６）に対して着脱可能に装着されるホルダー（１２）と、ホルダー（１２）に装着される多孔質印字体（１３）とを含み、
ホルダー（１２）は、プラスチック製の上下面が開口する角枠状のホルダー本体（１５）と、ホルダー本体（１５）に装填されて、印判本体（６）に対して着脱可能に内嵌される左右横長のバックアップ枠（１７）とを備えており、
ホルダー本体（１５）を印判本体（６）から抜き外し操作するとバックアップ枠（１７）がホルダー本体（１５）と共に印判本体（６）から外れ、印判本体（６）からホルダー（１２）を外した状態でバックアップ枠（１７）に設けた空所（２６）から多孔質印字体（１３）にインクを補給することができ、
ホルダー本体（１５）は、左右一対の側壁（２０・２０）と、一対の薄い前後壁（２１・２１）とを有しており、
ホルダー本体（１５）の左右側壁（２０）の内面下端に多孔質印字体（１３）の両側端を受け止める受け壁（２２）を設け、ホルダー本体（１５）の前後壁（２１）の内面下端に多孔質印字体（１３）の下面前後縁を受け止める幅狭の受け壁（２３）を備えており、
接合端に位置する要素印判（１・３）にそれぞれ装着されて、各要素印判（１〜３）を昇降動可能に浮揚支持するリフト脚（４）を備えており、
各リフト脚（４）は、要素印判（１・３）の連結体（８・９）に凹凸係合する連結体（８ａ・９ａ）が要素印判（１・３）との接合面に設けられた本体部（３６）と、本体部（３６）の下面の左右に設けたガイド穴（３８）に上下スライド自在に案内支持された脚片（３７）と、脚片（３７）を下向きに進出付勢するばね（３９）と、ガイド穴（３８）の下端に固定されて脚片（３７）の抜け止めを図る止め具（４０）とを含む組み合わせ印。
【請求項２】
ホルダー本体（１５）の前後壁（２１）の厚み寸法が、0.３〜0.４mmに設定されている請求項１記載の組み合わせ印。
【請求項３】
バックアップ枠（１７）の左右両端寄りのそれぞれに係合部（２５）が設けられており、
前記係合部（２５）に弾性係合する係合爪（１９）が印判本体（６）側に設けられている請求項１記載の組み合わせ印。
【請求項４】
各要素印判（１〜３）の間に、隣接する印字体（７）の印面高さを調整する印面位置調整機構が設けられており、
位置調整機構が、一方の接合面（５）に設けた軸（３１）で回転可能に軸支した偏心カム（２８）と、他方の接合面（５）に設けられて、偏心カム（２８）の調整カム面（３３）に外接する受面（３０）とで構成してある請求項１、２または３記載の組み合わせ印。  
【発明の詳細な説明】
【０００１】
【発明の属する技術分野】
この発明は、複数個の要素印判で構成される組み合わせ印に関する。個々の要素印判には、住所、氏名、法人名、電話番号等を印字するための印字体が設けてある。
【０００２】
【従来の技術】
この種の印判は実開昭５６−１７１２５０号公報、同５８−１６８４４８号公報、同５９−８２７５３号公報などに公知である。組み合わせ印を構成する個々の要素印判は、角板状の印判本体と、その下端面に固定されるゴム印字体とからなり、印判本体の接合面の一方に嵌合突起を設け、他方の接合面に嵌合凹部が設けてある。
【０００３】
【発明が解決しようとする課題】
住所印として使用されることの多い組み合わせ印は、スタンプ台に含浸したインクを印面に付着させて紙面に転写するので、捺印作業が煩わしい。こうした煩わしさを避けるために、単体型の住所印の殆どは、連続捺印が可能な浸透印化されている。住所、氏名、法人名、電話番号等の全ての印字内容を１個のゴム印字体に形成する単体型の住所印の場合には、設計の自由度が高いので浸透印化することに左程の問題はない。しかし、組み合わせ印の場合には、各要素印判を浸透印化する必要があるので、以下の問題を生じる。
【０００４】
組み合わせ印は、個々の要素印判におけるゴム印字体の縦横比が極端に大きく、必然的にゴム印字体は細長くならざるを得ない。そのためゴム印字体の中途部が自重で垂れ下がりやすい。ゴム印字体を印判本体の下面に接着固定する従来の組み合わせ印の場合には、ゴム印字体が垂れ下がることはない。しかし個々の要素印判を浸透印化する場合には、ゴム印字体を印判本体に接着固定することができないので、垂れ下がりが問題となる。単体型の住所印と同様に、ゴム印字体の下面周縁をホルダーで支持すると、ゴム印字体の垂れ下がりを阻止できるが、新たな問題を生じる。ホルダーの下面前後に設けた支持壁の張り出し寸法分だけ、ゴム印字体の有効印字面の前後幅が小さくなり、その結果、各要素印判に形成した、文字列の隣接間隔が大きくなるのである。
【０００５】
浸透印化した組み合わせ印に限ることではないが、組み合わせ印は、要素印判を接合した状態において、個々のゴム印字体の印面位置にばらつきを生じやすく、単体型のゴム印字体に比べて印字品質が劣る傾向にある。例えば特定の要素印判の印字文字がかすれたり、滲んだりしやすい。その一方で、住居表示や電話番号が変わった場合には、該当する要素印判のみを交換して、あるいはゴム印字体を付け換えることにより、印字内容を低コストで更新できる。
【０００６】
しかし、部分更新を行う場合には、更新されたゴム印字体と他のゴム印字体との生産ロットの違いで、ゴム印字体の全体厚みに差を生じていることが多く、隣接する印面位置が揃いにくい。こうした印面のばらつきを調整するために、部分更新を行う場合には、更新対象ではない他の要素印判も含めて預り、印面位置を再調整している。具体的には、新規なゴム印字体を幾分薄めに形成しておいて、これにスペーサーを加えながら印面位置を揃えねばならず、一連の作業に多くの手間がかかるうえ、預かり品の管理が煩雑であった。
【０００７】
この発明の目的は、個々の要素印判が浸透印として構成してあって、捺印作業を連続して迅速に行える組み合わせ印を提供することにある。この発明の目的は、縦横比が大きく細長い多孔質印字体を、印面の中途部が垂れ下がることなく面一に保持できるうえ、文字列の間隔を小さくできる組み合わせ印を提供することにある。この発明の目的は、接合した複数個の要素印判の印面を紙面から離れた状態で浮揚支持でき、従って特定の収納箱やスタンドを用いる必要もなく、机上などの任意の場所に載置保存できる組み合わせ印を提供することにある。この発明の目的は、互いに接合されて隣接する要素印判の上下位置を変更調整でき、従って新規の組み合わせ印の印面調整を行う場合はもちろんのこと、要素印判の部分更新を行う場合においても、印面調整作業を販売店やユーザー自身で簡単に行うことができ、単体型のゴム印と同程度の良好な印字品質を発揮できる組み合わせ印を提供することにある。
【０００８】
【課題を解決するための手段】
この発明の組み合わせ印は、住所、氏名、電話番号等の印字内容ごとに設けられた複数個の要素印判１〜３を接合して構成する。各要素印判１〜３は、一対の接合面５・５を有する印判本体６と、印判本体６の下部に装着される印字体７と、印判本体６の接合面５・５に設けられる連結体８・９とを備えている。印字体７は、印判本体６に対して着脱可能に装着されるホルダー１２と、ホルダー１２に装着される多孔質印字体１３を含む。以て、各要素印判１〜３を連続捺印可能な浸透印として形成する。
【０００９】
【００１０】
【００１１】
【００１２】
【００１３】
各要素印判１〜３の間に、隣接する印字体７の印面高さを調整する印面位置調整機構を設ける。位置調整機構は、一方の接合面５に設けた軸３１で回転可能に軸支した偏心カム２８と、他方の接合面５に設けられて、偏心カム２８の調整カム面３３に外接する受面３０とで構成する。
【００１４】
【００１５】
【発明の作用効果】
印字体７をホルダー１２と多孔質印字体１３を含んで構成し、各要素印判１〜３を浸透印化するので、必要時には、組み合わせ印を単に捺印操作するだけで連続して印字でき、スタンプ作業を迅速にしかも簡単に行える。スタンプ台を省略できる利点もある。ホルダー１２を印判本体６に対して着脱可能に装着するので、ホルダー１２を印判本体６から取り外して分離するだけで、印字体７へのインク補充を容易に行える。
【００１６】
【００１７】
【００１８】
【００１９】
複数個の要素印判１〜３の接合端にリフト脚４を設けた組み合わせ印によれば、不使用状態において、各要素印判１〜３の印面を紙面から離した状態で浮揚支持できるので、特定の収納箱やスタンドを用いる必要もなく、組み合わせ印を机上などの任意の場所に載置保存できる。
【００２０】
【００２１】
各要素印判１〜３の間に、隣接する印字体７の印面高さを調整する印面位置調整機構を設けた組み合わせ印によれば、偏心カム２８を軸３１まわりに回転操作するだけの簡単な操作で、各要素印判１〜３を接合したときの上下位置を変更調整できる。従って、新規の組み合わせ印の印面調整はもちろんのこと、要素印判１〜３を部分更新する場合においても、印面調整を簡単に行える。とくに要素印判１〜３を部分更新する際の印面調整を、販売店やユーザー自身の手で行えるので、メーカーと販売店との間の組み合わせ印のやりとりを廃止でき、その分だけ部分更新に要する手間やコストを削減できる。長期使用に伴うゴム印字体７の劣化等によって印面位置が不揃いになる場合にも、その調整を販売店やユーザーで行うことができる。
【００２２】
【００２３】
【実施例】
（実施例１）
図１ないし図７はこの発明に係る組み合わせ印の実施例を示す。図１および図２において、組み合わせ印は、複数個の要素印判１〜３と、これらの要素印判１〜３を浮揚支持するリフト脚４とで構成する。各要素印判１〜３は、平行な一対の接合面５・５を有する印判本体６と、その下端面に装着される印字体７とからなる。印判本体６および印字体７の前後幅寸法（接合面５間の寸法）は、印字体７に形成される印字内容の違いに応じて異なるが、他の構造は同じとされる。
【００２４】
図３において、印判本体６は横長角板状のプラスチック成形品からなり、各接合面５・５のそれぞれに、隣接する要素印判１〜３どうしを連結する雌雄一対の連結体８・９が設けられている。具体的には、一方の接合面５の左右両側に縦長リブ状の一対の突起を設けて片方の連結体８とし、他方の接合面５の左右両側に縦長の一対の凹部を設けて他方の連結体９とする。突起からなる連結体８を接合相手の連結体９に嵌め込むことにより、隣接する要素印判１〜３どうしを次々に連結できる。印判本体６の接合面５の周縁には、接合した要素印判１〜３の分離を容易化する切欠１０を設ける。
【００２５】
連結状態における、各印判１〜３の印面位置を面一に揃えるために、位置調整機構を設け、さらに凹凸嵌合する一対の連結体８・９を上下方向へ相対変位可能に構成する。具体的には、図５に示すように凹部からなる連結体９の上下長を、突起からなる連結体８の上下長より数mmだけ大きく寸法設定して、互いに嵌係合する連結体８・９を上下いずれの方向へも相対変位できるようにしている。
【００２６】
図４において、印字体７は、印判本体６に対して着脱自在に装着されるホルダー１２と、ホルダー１２に装填される多孔質印字体１３、およびインク含浸マット１４とからなる。ホルダー１２は、上下面が開口するプラスチック製のホルダー本体１５と、ホルダー本体１５に装填されて、印判本体６に対して着脱可能に装着されるバックアップ枠１７とからなる。
【００２７】
ホルダー本体１５は、上下面が開口する角枠状の射出成形品からなり、左右一対の側壁２０・２０と、一対の薄い前後壁２１・２１とを有し、左右側壁２０の内面下端に多孔質印字体１３の両側端を受け止める受け壁２２を設け、さらに前後壁２１の内面下端に多孔質印字体１３の下面前後縁を受け止めるための幅狭の受け壁２３を備えている。前者受け壁２２の左右側壁２０からの突出量が大きいのに対して、後者受け壁２３の前後壁２１からの突出量は極く僅かでしかなく、その値は0.４mmでしかない（図１参照）。隣接する文字列の間隔をできるだけ小さくするために、前後壁２１の厚み寸法は成形限界の薄い壁（0.３〜0.４mm）で形成する。先の受け壁２３の突出量を極く僅かとするのも、同様の理由からである。
【００２８】
多孔質印字体１３はポーラスゴムからなり、短冊状のベース部１３ａの下面に印面１３ｂが突設してある。印面１３ｂには住所や氏名などが鏡文字として形成してある。ベース部１３ａの下面周縁は、先の受け壁２２・２３で受け止められる。従って、縦横比が大きな細長い多孔質印字体１３を用いているにもかかわらず、その印面１３ｂが垂れ下がるのを解消し、印面１３ｂ面一に保持できる。インク含浸マット１４は、ゴムまたはプラスチック製の発泡体からなり、多孔質印字体１３の上面に密着配置する。
【００２９】
バックアップ枠１７は、ホルダー本体１５に内嵌する左右横長のプラスチック成形品からなり、左右両端寄りのそれぞれに連結凹部（凹部）２４と係合部２５とを設け、左右の連結凹部２４の間にインク補給用の空所２６を溝状に設けている。連結凹部２４および係合部２５に対応して、印判本体６の下面に連結凹部２４に内嵌係合する角柱状の連結片（突起）２７を突設し、その外側に係合部と弾性係合する係合爪１９を設けている（図４参照）。ホルダー本体１５を印判本体６から抜き外し操作するとバックアップ枠１７がホルダー本体１５と共に印判本体６から外れる。この状態で、空所２６からインクを補給する。
【００３０】
図３において位置調整機構は、一方の接合面５に配置される偏心カム２８と、他方の接合面５に凹み形成した四角形状の係合凹部２９の上下一対の受面３０とで構成する。偏心カム２８はプラスチック成形品からなる六角形状のプレートからなり、その中央が接合面５に突設した軸３１で回転可能に軸支されて、軸３１の突設に固定した止め片３２で抜け止め保持されている。係合凹部２９の中央には止め片３２を受け入れる凹部を設けておく。
【００３１】
六角形に形成した偏心カム２８の各辺部は、それぞれ調整カム面３３になっており、どの調整カム面３３が一対の受面３０と係合するかによって、隣接する要素印判１〜３の印面位置を上下に調整できるようにしてある。すなわち、一対の受面３０の上下間隔と、偏心カム２８の３組の対向辺部の対向間隔との基準寸法を同一寸法にしたうえで、対向する３組の調整カム面３３の、軸３１の中心からの距離が各組ごとに異なるようになっている。具体的には、先の基準寸法を３８mmとするとき、１組は中心からの距離を１９mmと１９mmとに設定し、次の組は中心からの距離を１8.８mmと１9.２mmとに設定し、残る組の中心からの距離を１8.６mmと１9.４mmとしている。符号３４は、偏心カム２８の各頂部の出っ張りを避けるための逃げ凹部である。
【００３２】
以上のように構成した位置調整機構によれば、図５に示すように偏心カム２８のどの対向辺部を一対の受面３０と係合させるかによって、隣接する要素印判１〜３の印面のばらつきを調整できる。基本的には、距離が１９mmと１９mmとに設定してある調整カム面３３を上下に位置させて各要素印判１〜３を連結し、この状態で捺印してみる。その結果、ある特定の要素印判のみがかすれていた場合には、その印判の係合凹部２９と嵌合する偏心カム２８を操作して、例えば、距離が１8.８mmの調整カム面３３を上面にして要素印判どうしを連結して、かすれを生じていた特定の要素印判を下方修正する。実際には、下方修正すべき特定の要素印判の上下位置が変わると、その影響が隣接する要素印判に及ぶので、特定の要素印判に付属する偏心カム２８は、距離が１9.２mmの調整カム面３３が上面にくるように位置補正しておく。
【００３３】
捺印の結果、ある特定の要素印判のみがにじみを生じていた場合には、上記の場合とは逆にその印判を上方へ位置修正する。この位置修正作業等を容易化するために、各対向辺部に、±０、＋0.２、−0.２、＋0.４、−0.４のように、調整量の目安を表示しておくことができる。
【００３４】
図１・６・７の各図において、リフト脚４は、プラスチック成形品からなる四角形状の本体部３６と、その下面左右に設けた丸軸状の脚片３７と、本体部３６の要素印判１・３との接合面に設けた連結体８ａ・９ａとからなる。図１に示すように脚片３７は、本体部３６に設けたガイド穴３８で上下スライド自在に案内支持され、ばね３９で下向きに進出付勢してある。ガイド穴３８の下端には、ばね３９に抗して脚片３７を抜け止めする止め具４０が固定してある。前後に対向する本体部３６は、それぞれの接合面の構造が異なっている。その一方は、図２に示すように接合相手の要素印判１の連結体８に対応して、連結体９ａを縦長の溝で形成し、さらに、その接合面に偏心カム２８や止め片３２との接当干渉を避けるための逃げ凹部４１を設ける。他方の本体部３６は、接合相手の要素印判３の連結体９が凹部であるので、その連結体８ａを縦長のリブ状に形成する。但し、両連結体８ａ・９ａの上下長さは、係合相手の連結体８・９の上下長さに一致させておいて、各リフト脚４と要素印判１・３とが上下方向へ相対摺動する余地をなくしておく。本体部３６の上部左右には、分離操作用の切欠１０ａを設ける。
【００３５】
上記のように、浸透印化された組み合わせ印によれば、リフト脚４のばね３９に抗して組み合わせ印の全体を押し下げ操作するだけで印字でき、しかも連続して捺印できるので、従来の組み合わせ印に比べて印字作業を手早く、かつ簡便に行える。また、リフト脚４で組み合わせ印の印面１３ｂを紙面から浮き離しておくことができるので、不使用時の組み合わせ印を置いておくためのホルダーやスタンドを用意する必要がなく、組み合わせ印を任意の場所に収納保管できる。リフト脚４の本体部３６を、連結体８・９を利用して印判本体６に連結するので、要素印判１〜３の接続個数や組み合わせ形態が種々に異なる場合にも、リフト脚４を要素印判１〜３に対して支障なく連結でき、全ての組み合わせ印でリフト脚４を共用できる。
【００３６】
【００３７】
【００３８】
【００３９】
【００４０】
【００４１】
【００４２】
【００４３】
【００４４】
【００４５】
【００４６】
【００４７】
【００４８】
なお、組み合わせ印は２個以上の要素印判１〜３を連結するものであれば、その個数は何個であってもよい。位置調整機構は、必ずしも個々の要素印判に設ける必要はなく、隣接する要素印判のうちのひとつ置きに設けることができる。また、位置調整機構は個々の要素印判の印判本体６と印字体７との間に設けることができ、この場合には、要素印判を連結した状態のままで印面調整を簡単に行うことができる。浸透印化された要素印判１〜３は、例えばその印面をキャップで下面側から覆うことより、印面を保護し、あるいは塵埃等が印面に付着するのを防ぐことができる。  
【図面の簡単な説明】
【図１】  組み合わせ印の一部破断側面図である。
【図２】  リフト脚を分離して示す組み合わせ印の斜視図である。
【図３】  要素印判の斜視図である。
【図４】  要素印判の分解断面図である。
【図５】  偏心カムの詳細構造を示す正面図である。
【図６】  バックアップ枠と印判本体の連結構造を示す断面図である。
【図７】  図６におけるＡ−Ａ線断面図である。  
【符号の説明】
１・２・３  要素印判
４  リフト脚
５  接合面
６  印判本体
７  印字体
８  連結体（突起）
９  連結体（凹部）
１２  ホルダー
１３  多孔質印字体
１４  インク含浸マット
１５  ホルダー本体
１７  バックアップ枠
【図１】
0003702311.tif 000002
【図２】
0003702311.tif 000003
【図３】
0003702311.tif 000004
【図４】
0003702311.tif 000005
【図５】
0003702311.tif 000006
【図６】
0003702311.tif 000007
【図７】
0003702311.tif 000008